【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せに応じて入賞が発生可能な遊技機であって、
第１演出装置と、
第２演出装置と、
遊技機の状態を第１状態と第２状態のいずれかに変更する状態変更手段と、
遊技機の状態の変更に伴って状態変更演出を実行する状態変更演出手段と、
入賞の発生を許容するか否かを決定する事前決定手段と、
遊技者が表示結果を導出させるために操作する導出操作手段と、
前記事前決定手段の決定結果および前記導出操作手段の操作に応じて、表示結果を導出させる制御を行う導出制御手段と、
前記複数の可変表示部の表示結果の組合せのうち、前記複数の可変表示部に跨る所定ライン上の識別情報の組合せに基づいて、入賞が発生したか否かの入賞判定を行う入賞判定手段と、
前記事前決定手段の決定結果が、所定入賞の発生を許容する所定結果となったときに当該所定結果となったことを示唆する示唆演出を実行する示唆演出手段と、を備え、
前記第１演出装置において、前記第１状態と前記第２状態で異なる態様で演出を行い、
前記第２演出装置において、前記第１状態と前記第２状態のいずれかを特定不能な態様で演出を行い、
前記状態変更演出手段は、前記第１状態から前記第２状態に変更されるときに、前記第１演出装置および前記第２演出装置の両方において、前記状態変更演出を実行し、
前記導出制御手段は、
前記事前決定手段の決定結果が前記所定結果であり前記導出操作手段が特定操作態様で操作されたときに、前記複数の可変表示部のうちの所定可変表示部の表示結果として前記所定ライン上の識別情報が特定識別情報となる表示結果を導出し、
前記事前決定手段の決定結果が前記所定結果であり前記導出操作手段が前記特定操作態様とは異なる操作態様で操作されたときに、前記所定可変表示部の表示結果として前記所定ライン上の識別情報が前記特定識別情報とは異なる識別情報であって該特定識別情報を示唆する色彩を含む特別識別情報となる表示結果を導出し、
前記事前決定手段の決定結果が前記所定結果となったことに基づいて、遊技者にとって有利な有利状態へ制御されることの抽選が実行され、
前記事前決定手段の決定結果が前記所定結果であり前記導出操作手段が前記特定操作態様で操作されたときと、前記事前決定手段の決定結果が前記所定結果であり前記導出操作手段が前記特定操作態様とは異なる操作態様で操作されたときとで、遊技者に付与される遊技用価値が同じであり、
前記導出制御手段は、前記事前決定手段の決定結果が前記所定結果であり前記導出操作手段が前記特定操作態様で操作されたときと、前記事前決定手段の決定結果が前記所定結果であり前記導出操作手段が前記特定操作態様とは異なる操作態様で操作されたときとで、前記複数の可変表示部のうちの前記所定可変表示部以外の可変表示部における表示結果として前記所定ライン上の識別情報が共通となる表示結果を導出する、遊技機。
【手続補正２】
【補正対象書類名】明細書
【補正対象項目名】０００９
【補正方法】変更
【補正の内容】
【０００９】
（Ａ）  各々が識別可能な複数種類の識別情報を変動表示可能な可変表示部を複数備え、前記可変表示部を変動表示した後、前記可変表示部の変動表示を停止することで表示結果を導出し、複数の可変表示部の表示結果の組合せに応じて入賞が発生可能な遊技機であって、
第１演出装置と、
第２演出装置と、
遊技機の状態を第１状態と第２状態のいずれかに変更する状態変更手段と、
遊技機の状態の変更に伴って状態変更演出を実行する状態変更演出手段と、
入賞の発生を許容するか否かを決定する事前決定手段と、
遊技者が表示結果を導出させるために操作する導出操作手段と、
前記事前決定手段の決定結果および前記導出操作手段の操作に応じて、表示結果を導出させる制御を行う導出制御手段と、
前記複数の可変表示部の表示結果の組合せのうち、前記複数の可変表示部に跨る所定ライン上の識別情報の組合せに基づいて、入賞が発生したか否かの入賞判定を行う入賞判定手段と、
前記事前決定手段の決定結果が、所定入賞の発生を許容する所定結果となったときに当該所定結果となったことを示唆する示唆演出を実行する示唆演出手段と、を備え、
前記第１演出装置において、前記第１状態と前記第２状態で異なる態様で演出を行い、
前記第２演出装置において、前記第１状態と前記第２状態のいずれかを特定不能な態様で演出を行い、
前記状態変更演出手段は、前記第１状態から前記第２状態に変更されるときに、前記第１演出装置および前記第２演出装置の両方において、前記状態変更演出を実行し、
前記導出制御手段は、
前記事前決定手段の決定結果が前記所定結果であり前記導出操作手段が特定操作態様で操作されたときに、前記複数の可変表示部のうちの所定可変表示部の表示結果として前記所定ライン上の識別情報が特定識別情報となる表示結果を導出し、
前記事前決定手段の決定結果が前記所定結果であり前記導出操作手段が前記特定操作態様とは異なる操作態様で操作されたときに、前記所定可変表示部の表示結果として前記所定ライン上の識別情報が前記特定識別情報とは異なる識別情報であって該特定識別情報を示唆する色彩を含む特別識別情報となる表示結果を導出し、
前記事前決定手段の決定結果が前記所定結果となったことに基づいて、遊技者にとって有利な有利状態へ制御されることの抽選が実行され、
前記事前決定手段の決定結果が前記所定結果であり前記導出操作手段が前記特定操作態様で操作されたときと、前記事前決定手段の決定結果が前記所定結果であり前記導出操作手段が前記特定操作態様とは異なる操作態様で操作されたときとで、遊技者に付与される遊技用価値が同じであり、
前記導出制御手段は、前記事前決定手段の決定結果が前記所定結果であり前記導出操作手段が前記特定操作態様で操作されたときと、前記事前決定手段の決定結果が前記所定結果であり前記導出操作手段が前記特定操作態様とは異なる操作態様で操作されたときとで、前記複数の可変表示部のうちの前記所定可変表示部以外の可変表示部における表示結果として前記所定ライン上の識別情報が共通となる表示結果を導出する。
（１）  遊技を行う遊技機（たとえば、スロットマシン１，パチンコ遊技機）であって、
第１演出装置（たとえば、液晶表示器５１）と、
第２演出装置（たとえば、サブ液晶表示器６０）と、
遊技機の状態を第１状態（たとえば、通常ＲＴ１）、第２状態（たとえば、通常ＲＴ２）、および、第３状態（たとえば、有利ＲＴ）のいずれかに変更する状態変更手段（たとえば、メイン制御部４１）と、
遊技機の状態の変更に伴って状態変更演出（たとえば、ステージ変更演出）を実行する状態変更演出手段（たとえば、サブ制御部９１）とを備え、
前記第１演出装置の演出態様は、前記第１状態、前記第２状態、および、前記第３状態で異なる（たとえば、図６に示すように、液晶表示器５１の表示領域５１ａにおける通常ＲＴ，通常ＲＴ２，有利ＲＴでステージの背景が異なる）一方、
前記第２演出装置の演出態様は、前記第１状態と前記第２状態とでは同一であるが、前記第３状態では異なり（たとえば、図６に示すように、サブ液晶表示器６０の表示画面は、通常ＲＴ１と通常ＲＴ２とで同一であるが、有利ＲＴでは異なる）、
前記状態変更演出手段は、前記第１状態から前記第２状態に変更されるときと、前記第１状態から前記第３状態に変更されるときのいずれにおいても、前記第１演出装置および前記第２演出装置の両方において、前記状態変更演出を実行する（たとえば、図６に示すように、通常ＲＴ１から通常ＲＴ２へ変更されるときと、通常ＲＴ１から有利ＲＴへ変更されるときのいずれにおいても、液晶表示器５１および液晶表示器６０の両方において、ステージ変更演出を実行する）。